(57)【要約】【課題】清掃部材の接触圧の使用途中での調整が可能であるとともに、清掃部材を容易に交換することができる自動清掃機構を提供すること。【解決手段】像担持体に対して潜像書き込み用の光を出射する走査光学系をフレーム２内に収容し、該走査光学系から出射される光の出射口を防塵ガラス４で覆って成るレーザースキャナユニット（光走査装置）１に設けられる機構であって、清掃パッド（清掃部材）８を保持する保持部材７をスクリュー軸に進退可能に螺合せしめ、前記スクリュー軸を回転させて前記清掃パッド８を前記防塵ガラス４に沿って移動させることによって該防塵ガラス４を自動的に清掃する自動清掃機構５において、前記保持部材７の前記清掃パッド８を保持する第１の部材（保持部）７Ａを折り畳み可能に構成し、該第１の部材７Ａによって前記清掃パット８を挟持するよう構成する。【選択図】図７
2010091690.tif 000002
【特許請求の範囲】
【請求項１】
像担持体に対して潜像書き込み用の光を出射する走査光学系をフレーム内に収容し、該走査光学系から出射される光の出射口を防塵ガラスで覆って成る光走査装置に設けられる機構であって、清掃部材を保持する保持部材を移動可能に支持し、前記清掃部材を前記防塵ガラスに沿って移動させることによって該防塵ガラスを自動的に清掃する自動清掃機構において、
前記保持部材の前記清掃部材を保持する保持部を折り畳み可能に構成し、該保持部によって前記清掃部材を挟持するよう構成したことを特徴とする自動清掃機構。
【請求項２】
前記保持部の前記清掃部材を挟持する２つの面に突起をそれぞれ突設したことを特徴とする請求項１記載の自動清掃機構。
【請求項３】
前記突起を前記保持部の２つの面に互い違いに突設したことを特徴とする請求項２記載の自動清掃装置。
【請求項４】
前記保持部材を、前記清掃部材を保持する第１の部材と、移動可能な第２の部材とで構成し、該第２の部材に前記第１の部材を着脱可能に装着することを特徴とする請求項１〜３の何れかに記載の自動清掃装置。
【請求項５】
像担持体に対して潜像書き込み用の光を出射する走査光学系をフレーム内に収容し、該走査光学系から出射される光の出射口を防塵ガラスで覆って成る装置であって、
請求項１〜４の何れかに記載の自動清掃機構を備えたことを特徴とする光走査装置。
【請求項６】
請求項５記載の光走査装置を備えたことを特徴とする画像形成装置。
【発明の詳細な説明】
【技術分野】
【０００１】
本発明は、走査光学系から出射される光の出射口を覆う防塵ガラスを自動的に清掃するための自動清掃機構とこれを備えた光走査装置及び画像形成装置に関するものである。
【背景技術】
【０００２】
電子写真方式によって用紙に画像を形成する複写機やプリンタ等の画像形成装置においては、帯電手段によって表面が一様に帯電された感光ドラム等の像担持体に光走査装置から潜像書き込み用の光を照射して該像担持体上に潜像を形成し、この潜像を現像装置によって現像剤であるトナーを用いて現像してトナー像として顕像化することが行われている。
【０００３】
ここで、上記光装置は、像担持体に対して潜像書き込み用の光を出射する走査光学系をフレーム内に収容して構成され、フレームには走査光学系から出射される光の出射口が形成され、この出射口は透明な防塵ガラスで覆われている。
【０００４】
斯かる光装置においては、防塵ガラスの表面に汚れや埃が付着すると光学特性が悪化するため、防塵ガラスの表面を定期的に清掃する必要があり、そのための自動清掃機構が提案されている。
【０００５】
例えば、特許文献１には、防塵ガラスを清掃する清掃手段をパッド状の清掃部と当該清掃手段を保持する保持部とで構成するとともに、前記保持部を前記清掃部に回動可能に接合することによって清掃時の圧分布を一定にする防塵ガラスの清掃手段が提案されている。
【特許文献１】特開２００５−２４６９０１号公報
【発明の開示】
【発明が解決しようとする課題】
【０００６】
ところで、光走査装置の防塵ガラスの清掃において清掃部材の防塵ガラスへの接触圧は清掃性能において重要な要素であり、その接触圧を適正に管理するためには部品の精度を高めたり、清掃性能に自由度を持たせた設計とする必要がある。
【０００７】
しかしながら、部品精度を高めると製造コストが高くなり、清掃性能に自由度を持たせた設計とすると常に高い清掃性能を維持することが困難となる。
【０００８】
又、従来の自動清掃機構においては、清掃部材の接触圧を使用途中で任意に調整することができず、清掃部材が劣化したような場合に該清掃部材を新しいものと容易に交換することができなかった。
【０００９】
本発明は上記問題に鑑みてなされたもので、その目的とする処は、清掃部材の接触圧の使用途中での調整が可能であるとともに、清掃部材を容易に交換することができる自動清掃機構とこれを備えた光走査装置及び画像形成装置を提供することにある。
【課題を解決するための手段】
【００１０】
上記目的を達成するため、請求項１記載の発明は、像担持体に対して潜像書き込み用の光を出射する走査光学系をフレーム内に収容し、該走査光学系から出射される光の出射口を防塵ガラスで覆って成る光走査装置に設けられる機構であって、清掃部材を保持する保持部材を移動可能に支持し、前記清掃部材を前記防塵ガラスに沿って移動させることによって該防塵ガラスを自動的に清掃する自動清掃機構において、前記保持部材の前記清掃部材を保持する保持部を折り畳み可能に構成し、該保持部によって前記清掃部材を挟持するよう構成したことを特徴とする。
【００１１】
請求項２記載の発明は、請求項１記載の発明において、前記保持部の前記清掃部材を挟持する２つの面に突起をそれぞれ突設したことを特徴とする。
【００１２】
請求項３記載の発明は、請求項２記載の発明において、前記突起を前記保持部の対向する２つの挟持面に互い違いに突設したことを特徴とする。
【００１３】
請求項４記載の発明は、請求項１〜３の何れかに記載の発明において、前記保持部材を、前記清掃部材を保持する第１の部材と、移動可能な第２の部材とで構成し、該第２の部材に前記第１の部材を着脱可能に装着することを特徴とする。
【００１４】
請求項５記載の発明は、像担持体に対して潜像書き込み用の光を出射する走査光学系をフレーム内に収容し、該走査光学系から出射される光の出射口を防塵ガラスで覆って成る光走査装置が請求項１〜４の何れかに記載の自動清掃機構を備えることを特徴とする。
【００１５】
請求項６記載の画像形成装置は、請求項５記載の光走査装置を備えることを特徴とする。
【発明の効果】
【００１６】
請求項１記載の発明によれば、保持部材の折り畳み可能な保持部によって清掃部材を挟持するようにしたため、使用途中において清掃部材の保持部材に対する保持位置を変更してその自由端を調整することによって該清掃部材の防塵ガラスへの接触圧を容易に調整することができ、この結果、常に高い清掃性能を確保することができる。又、清掃部材を保持部材に対して着脱することができるため、該清掃部材が劣化したような場合には、これを新しいものと容易に交換することができる。
【００１７】
請求項２記載の発明によれば、保持部の対向する保持面に突設された突起によって清掃部材を確実に保持することができ、該清掃部材の保持部材からの脱落を確実に防ぐことができる。
【００１８】
請求項３記載の発明によれば、保持部の対向する保持面に互い違いに突設された突起によって清掃部材が一層確実に保持され、その保持部材からの脱落が確実に防がれる。
【００１９】
請求項４記載の発明によれば、保持部材を第１の部材と第２の部材に２分割し、清掃部材を保持する第１の部材をスクリュー軸に螺合挿通する第２の部材に着脱可能に装着するようにしたため、清掃部材の交換に際して第２の部材をスクリュー軸から取り外す必要がなく、該第２の部材をスクリュー軸に残したまま第１の部材を第２の部材に対して着脱することによって清掃部材を容易に交換することができる。
【００２０】
請求項５及び６記載の発明によれば、光走査装置において請求項１〜４記載の発明の効果を得ることができる。
【発明を実施するための最良の形態】
【００２１】
以下に本発明の実施の形態を添付図面に基づいて説明する。
【００２２】
先ず、本発明に係る画像形成装置を図１に基づいて以下に説明する。
【００２３】
図１は本発明に係る画像形成装置の一形態としてのカラーレーザープリンタの断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２４】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、転写ローラ５ａ，５ｂ，５ｃ，５ｄ及びドラムクリーニング装置６ａ，６ｂ，６ｃ，６ｄがそれぞれ配置されている。
【００２５】
ここで、前記感光ドラム２ａ〜２ｄは、ドラム状の感光体であって、不図示の駆動モータによって図示矢印方向（時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
【００２６】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２７】
又、前記転写ローラ５ａ〜５ｄは、各一次転写部にて中間転写ベルト７’を介して各感光ドラム２ａ〜２ｄに当接可能に配置されている。ここで、中間転写ベルト７’は、二次転写対向ローラ８’とテンションローラ９’との間に張設されて各感光ドラム２ａ〜２ｄの上面側に走行可能に配置されており、前記二次転写対向ローラ８’は、二次転写部において中間転写ベルト７’を介して二次転写ローラ１０’に当接可能に配置されている。又、テンションローラ９’の近傍にはベルトクリーニング装置１１’が設けられている。
【００２８】
ところで、装置本体１００内の各画像形成ユニット１Ｍ，１Ｃ，１Ｙ，１Ｋの上方には、前記各現像装置４ａ〜４ｄにトナーを補給するためのトナーコンテナ１２ａ，１２ｂ，１２ｃ，１２ｄが一列に並設されている。
【００２９】
又、装置本体１００内の各画像形成ユニット１Ｍ，１Ｃ，１Ｙ，１Ｋの下方には本発明に係る光走査装置（レーザースキャナユニット）１’が配置され、その下方の本体１００の底部には給紙カセット１４’が着脱可能に設置されている。そして、給紙カセット１４’には複数枚の不図示の用紙が積層収容されており、この給紙カセット１４’の近傍には、給紙カセット１４’から用紙を取り出すピックアップローラ１５’と、取り出された用紙を分離して搬送パスＬへと１枚ずつ送り出すフィードローラ１６’とリタードローラ１７’が設けられている。
【００３０】
又、装置本体１００の側部を上下方向に延びる前記搬送パスＬには、用紙を搬送する搬送ローラ対１８’と、用紙を一時待機させた後に所定のタイミングで前記二次転写対向ローラ８’と二次転写ローラ１０’との当接部である二次転写部へと供給するレジストローラ対１９’が設けられている。尚、搬送パスＬの横には、用紙の両面に画像を形成する場合に使用される別の搬送パスＬ’が形成されており、この搬送パスＬ’には複数の反転ローラ対２０’が適当な間隔で設けられている。
【００３１】
ところで、装置本体１００内の一側部に縦方向に配置された前記搬送パスＬは、装置本体１００の上面に設けられた排紙トレイ２１’まで延びており、その途中には定着装置２２’と排紙ローラ対２３’，２４’が設けられている。
【００３２】
次に、以上の構成を有するカラーレーザープリンタによる画像形成動作について説明する。
【００３３】
画像形成開始信号が発せられると、各画像形成ユニット１Ｍ，１Ｃ，１Ｙ，１Ｋにおいて各感光ドラム２ａ〜２ｄが図示矢印方向（時計方向）に所定のプロセススピードで回転駆動され、これらの感光ドラム２ａ〜２ｄは、帯電器３ａ〜３ｄによって一様に帯電される。又、光走査装置１は、各色毎のカラー画像信号によって変調されたレーザー光を出射し、そのレーザー光を各感光ドラム２ａ〜２ｄの表面に照射し、各感光ドラム２ａ〜２ｄ上に各色のカラー画像信号に対応した静電潜像をそれぞれ形成する。
【００３４】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、トナーと逆極性の一次転写バイアスが印加された転写ローラ５ａの作用によって、図示矢印方向に回転駆動されている中間転写ベルト７’上に一次転写される。
【００３５】
上述のようにしてマゼンタトナー像が一次転写された中間転写ベルト７’は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７’上のマゼンタトナー像に重ねて転写される。
【００３６】
以下同様にして、中間転写ベルト７’上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７’上にはフルカラーのトナー像が形成される。尚、中間転写ベルト７’上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３７】
そして、中間転写ベルト７’上のフルカラートナー像の先端が二次転写対向ローラ８’と二次転写ローラ１０’間の二次転写部（転写ニップ部）に達するタイミングに合わせて、給紙カセット１４’からピックアップローラ１５’とフィードローラ１６’及びリタードローラ１７’によって搬送パスＬへと送り出された用紙がレジストローラ対１９’によって二次転写部へと搬送される。そして、二次転写部に搬送された用紙に、トナーと逆極性の二次転写バイアスが印加された二次転写ローラ１０’によってフルカラーのトナー像が中間転写ベルト７’から一括して二次転写される。
【００３８】
而して、フルカラーのトナー像が転写された用紙は、定着装置２２’へと搬送され、フルカラーのトナー像が加熱及び加圧されて用紙の表面に熱定着され、トナー像が定着された用紙は、排紙ローラ対２３’，２４’によって排紙トレイ２１’上に排出されて一連の画像形成動作が完了する。尚、用紙上に転写されないで中間転写ベルト７’上に残留する転写残トナーは、前記ベルトクリーニング装置１１’によって除去され、中間転写ベルト７’は次の画像形成に備えられる。
【００３９】
次に、本発明に係る前記光走査装置１について説明する。
【００４０】
図２は本発明に係る光走査装置の斜視図、図３は図２のＡ部拡大詳細図、図４は同光走査装置の側面図、図５は同光走査装置の平面図、図６は図５のＢ−Ｂ線断面図、図７は図６のＣ部拡大詳細図、図８は図５のＤ−Ｄ線断面図、図９は図８のＥ部拡大斜視図、図１０は保持部材（第１の部材）とこれに保持された清掃パッドの斜視図、図１１は図１０のＦ−Ｆ線断面図、図１２は保持部材（第１の部材）を開いた状態を示す斜視図である。
【００４１】
図２に示す光走査装置１は、図１に示したカラーレーザープリンタに備えられるレーザースキャナユニット（ＬＳＵ）であって、図示しないが、その矩形ボックス状のフレーム２内には、２つの感光ドラムに対して潜像書き込み用のレーザー光を出射する２つの走査光学系が並設されて収容されている。尚、本実施の形態に係るレーザースキャナユニット１は、カラー画像形成装置用であって、カラー画像形成装置の本体内にはこのようなレーザースキャナユニット１が２組設けられている。
【００４２】
ところで、レーザースキャナユニット１のフレーム２の上面を覆うカバー３には、２つの走査光学系からそれぞれ出射されるレーザー光が通過するための矩形の細長い２つの出射口（不図示）が形成されており、これらの出射口は、光を透過する透明な細長い防塵ガラス４によって覆われている。ここで、各出射口とこれを覆う防塵ガラス４は、レーザー光の各感光ドラムに対する主走査方向（図５の左右方向）に長い矩形を成しており、各防塵ガラス４の表面は本発明に係る自動清掃機構５によって清掃される。
【００４３】
次に、本発明に係る自動清掃機構５の構成について説明する。
【００４４】
図１に示すように、本実施の形態に係るレーザースキャナユニット１には、２つの防塵ガラス４に対して１組の自動清掃機構５が設けられており、２つの防塵ガラス４は自動清掃機構１によって同時に且つ自動的に清掃される。
【００４５】
自動清掃機構５は、フレーム２の一側部（図５及び図６の右側部）に設けられた不図示の駆動モータとギヤトレインによって回転駆動されるスクリュー軸６と、該スクリュー軸６に螺合挿通する保持部材７と、該保持部材７の両端に保持された清掃部材である清掃パッド８（図３及び図７参照）によって構成されている。尚、駆動モータには正逆転可能なものが使用されている。又、スクリュー軸６の駆動側の一端には駆動ギヤ９が結着されている。
【００４６】
而して、前記保持部材７は、図３及び図７〜図９に示すように、清掃パッド８を保持する第１の部材７Ａと、前記スクリュー軸６に進退可能に螺合挿通する第２の部材７Ｂとで構成されており、第２の部材７Ｂの両端部に第１の部材７Ａが着脱可能に装着されている。ここで、第１及び第２の部材７Ａ，７Ｂは樹脂製であって、第２の部材７Ｂの幅方向中央には、図２及び図５に示すように、スクリュー軸６に螺合挿通するボス部７ａが形成されており、該ボス部７ａからはアーム部７ｂが左右（レーザー光の主走査方向に直交する副走査方向）に一体に延び、各アーム部７ｂの端部に第１の部材７Ａが着脱可能に装着されている。又、第２の部材７Ｂの一方のアーム部７ｂには、動作復帰用バネ１０が保持部材７の移動方向（図５の左右方向）に貫通保持されている。
【００４７】
第１の部材７Ａは、図１２に示すように、折り曲げ線Ｌを中心として折り畳み可能であって、図１０に示すように、折り曲げ線Ｌに沿う長手方向両端部にはヒンジ部７ｃが形成されている。この第１の部材７Ａは、図１０に示すように、ヒンジ部７ｃを中心として折り畳まれ、折り曲げ線Ｌを境として分割された２つの保持片７Ａ１，７Ａ２は、これらの間に清掃パッド８を挟んでこれを挟持する。尚、清掃パッド８の材質としては、シリコンゴムやウレタンゴムが選定される。
【００４８】
そして、第１の部材７Ａの各保持片７Ａ１，７Ａ２の長手方向両端部には係合爪７ｄ，７ｅがそれぞれ形成されており、これらの係合爪７ｄ，７ｅは、第１の部材７Ａを図１０に示すように折り畳んだときに互いに係合して両保持片７Ａ１，７Ａ２同士を互いに接合一体化する。
【００４９】
又、第１の部材７Ａの各保持片７Ａ１，７Ａ２の外面の幅方向中央には係合突起７ｆが突設され、図１１及び図１２に示すように、一方の保持片７Ａ１の内面（つまり、清掃パッド８を挟み込む挟持面）の幅方向中央には位置決め突起７ｇが一体に突設されるとともに、幅方向に延びる２つの突起７ｈが互いに平行に突設されている。そして、第１の保持部材７Ａの他方の保持片７Ａ２の内面にも幅方向に延びる２つの突起７ｉが互いに平行に突設されており、これらの突起７ｉと保持片７Ａ１の内面に突設された前記突起７ｈは、図１１に示すように、両保持片７Ａ１，７Ａ２の間に清掃パッド８を挟んで両保持片７Ａ１，７Ａ２を接合した状態では上下方向に互い違いに配置され、これら突起７ｈ，７ｉによって清掃パッド８が確実に挟持されて第１の部材７Ａに保持される。
【００５０】
而して、清掃パッド８の第１の部材７Ａへの取り付けに際しては、第１の部材７Ａをヒンジ７ｃを中心として折り曲げ線Ｌ（図１２参照）に沿って折り曲げた状態で、両保持片７Ａ１，７Ａ２の間に清掃パッド８をその上端が一方の保持片７Ａ１の挟持面（内面）に突設された位置決め突起７ｇに当接するまで下方から差し込んでこれを仮保持した後、両保持片７Ａ１，７Ａ２の幅方向両端にそれぞれ形成された係合爪７ｄ，７ｅを係合させて両保持片７Ａ１，７Ａ２を接合一体化する。すると、清掃パッド８は、両保持片７Ａ１，７Ａ２の挟持面（内面）に突設された互い違いの突起７ｈ，７ｉによってその両面が挟持されて第１の部材７Ａに確実に保持される。
【００５１】
他方、第２の部材７Ｂの左右のアーム部７ｂの各端部には、図７及び図９に示すように、左右方向に長い矩形の係合孔７ｊ（図には一方のみ図示）がそれぞれ貫設されており、各係合孔７ｊには、前述のように清掃パッド８が保持された第１の部材７Ａが挿入嵌合されて装着される。このように第１の部材７Ａが第２の部材７Ｂに装着されると、清掃パッド８は、その下端縁が防塵ガラス４の表面に接触する位置に保持される。
【００５２】
而して、画像形成装置による画像形成動作中においては、レーザースキャナユニット１の走査光学系から出射される潜像書き込み用のレーザー光が感光ドラムを走査することによって各感光ドラム上には静電潜像が形成される。そして、この静電潜像は、不図示の現像装置によってトナーを用いて現像されてトナー像として顕像化され、以後、転写、定着等の所定のプロセスを経て用紙上に画像が形成される。
【００５３】
ところで、上記画像形成動作が繰り返されると、レーザースキャナユニット１の防塵ガラス４の表面に汚れや埃が付着するために光学特性が次第に悪化するという問題が発生する。このため、本発明に係る自動清掃装置５によって各防塵ガラス４の表面が自動的に清掃される。
【００５４】
即ち、不図示の駆動モータが駆動されてその駆動力が不図示のギヤトレインからスクリュー軸６端部の駆動ギヤ９に入力されると、スクリュー軸６が回転駆動され、該スクリュー軸６に螺合挿通する保持部材７とその両端に保持された清掃パッド８がレーザー光の主走査方向に沿って移動するため、清掃パッド８が防塵ガラス４の表面を摺擦し、該防塵ガラス４の表面に付着した汚れや埃を除去して防塵ガラス４を清掃する。
【００５５】
そして、保持部材７と清掃パッド８が移動限である待機位置に達すると、駆動モータが逆転されて保持部材７と清掃パッド８が逆方向に移動し、各防塵ガラス４の表面が清掃パッド８によって摺擦されて清掃される。以後、同様の作用が繰り返され、各防塵ガラス４の表面が往復動する清掃パッド８によって清掃されるため、防塵ガラス４の汚れ等によるレーザースキャナユニット１の光学特性の悪化が防がれる。
【００５６】
以上において、本実施の形態では、保持部材７の第１の部材７Ａの折り畳み可能な保持片７Ａ１，７Ａ２によって清掃パッド８を挟持するようにしたため、使用途中において清掃パッド８の保持部材７に対する保持位置を変更してその自由端を調整することによって該清掃パッド８の防塵ガラス４への接触圧を容易に調整することができ、この結果、常に高い清掃性能を確保することができる。
【００５７】
又、清掃パッド８を保持部材７に対して着脱することができるため、該清掃パッド８が劣化したような場合には、これを新しいものと容易に交換することができる。
【００５８】
更に、本実施の形態では、保持部材７を第１の部材７Ａと第２の部材７Ｂに２分割し、清掃パッド８を保持する第１の部材７Ａをスクリュー軸６に螺合挿通する第２の部材７Ｂに着脱可能に装着するようにしたため、清掃パッド８の交換に際して第２の部材７Ｂをスクリュー軸６から取り外す必要がなく、該第２の部材７Ｂをスクリュー軸６に残したまま、第１の部材７Ａを第２の部材７Ｂに対して着脱することによって清掃パッド８を容易に交換することができる。
【００５９】
又、第１の部材７Ａの保持片７Ａ１，７Ａ２の相対向する挟持面（内面）に形成された突起７ｈ，７ｉを図１１に示すように互い違いに配置したため、これらの突起７ｈ，７ｉによって清掃パッド８が一層確実に保持され、その第１の部材７Ａからの脱落が確実に防がれ、安定した清掃動作が可能となる。
【００６０】
尚、以上は本発明をカラー画像形成装置に備えられる光走査装置とこれに設けられた自動清掃機構に対して適用した形態について説明したが、本発明は、モノクロ画像形成装置に備えられる光走査装置とこれに設けられた自動清掃機構に対しても同様に適用可能であることは勿論である。
【図面の簡単な説明】
【００６１】
【図１】本発明に係るカラーレーザープリンタの断面図である。
【図２】本発明に係る光走査装置の斜視図である。
【図３】図２のＡ部拡大詳細図である。
【図４】本発明に係る光走査装置の側面図である。
【図５】本発明に係る光走査装置の平面図である。
【図６】図５のＢ−Ｂ線断面図である。
【図７】図６のＣ部拡大詳細図である。
【図８】図５のＤ−Ｄ線断面図である。
【図９】図８のＥ部拡大斜視図である。
【図１０】保持部材（第１の部材）とこれに保持された清掃パッドの斜視図である。
【図１１】図１０のＦ−Ｆ線断面図である。
【図１２】保持部材（第１の部材）を開いた状態を示す斜視図である。
【符号の説明】
【００６２】
１              光走査装置
２              フレーム
３              カバー
４              防塵ガラス
５              自動清掃機構
６              スクリュー軸
７              保持部材
７Ａ            保持部材の第１の部材
７Ａ１，７Ａ２  第１の部材の保持片
７Ｂ            保持部材の第２の部材
７ａ            第２の部材のボス部
７ｂ            第２の部材のアーム部
７ｃ            第１の部材のヒンジ部
７ｄ，７ｅ      第１の部材の係合爪
７ｆ            第１の部材の係合突起
７ｇ            第１の部材の位置決め突起
７ｈ，７ｉ      第１の部材の突起
７ｊ            第２の部材の係合孔
８              清掃パッド（清掃部材）
９              駆動ギヤ
１０            動作復帰用バネ
Ｌ              折り曲げ線
【図１】
2010091690.tif 000003
【図２】
2010091690.tif 000004
【図３】
2010091690.tif 000005
【図４】
2010091690.tif 000006
【図５】
2010091690.tif 000007
【図６】
2010091690.tif 000008
【図７】
2010091690.tif 000009
【図８】
2010091690.tif 000010
【図９】
2010091690.tif 000011
【図１０】
2010091690.tif 000012
【図１１】
2010091690.tif 000013
【図１２】
2010091690.tif 000014